(57)【要約】【課題】顧客ごとの商品販売データ処理を同時並行的に行うことができ、かつ、初期導入時のコストを抑えることができる商品販売データ処理システム等を提供する。【解決手段】レジスタ装置の連携登録手段は、個別の端末装置との連携状態を随時更新し、端末装置は、レジスタ装置から、クレジット決済取引開始の指示信号、を受信し、レジスタ装置は、端末装置に対して顧客に対応させた売上データを送信し、売り上げデータを受信した端末装置は、カード読み取り手段で読み取ったクレジットカードについて、クレジット決済センターに対して決済情報及び与信問合せ認証を送信し、与信問合せ認証に対してクレジット決済センターから受信した取引完了結果をレジスタ装置に送信し、クレジット決済登録手段は、端末装置から受信した取引完了結果に応じてクレジット決済を登録する。【選択図】図７
2015207096.tif 000002
【特許請求の範囲】
【請求項１】
レジスタ装置と１つ以上の端末装置を備えた商品販売データ処理システムであって、
前記レジスタ装置は、
前記端末装置との間で、無線通信によってデータを送受信するための第１ローカル通信手段と、
個別の前記端末装置と前記レジスタ装置との連携状態を登録する連携登録手段と、
クレジット決済登録手段と、
前記端末装置が扱う顧客に対応させた売上げデータを記憶する記憶手段と、前記連携状態を随時更新する通信状態確認手段とを備え、
前記端末装置は、
前記レジスタ装置との間で、無線通信によってデータを送受信するための第２ローカル通信手段と、
クレジット決済センターに対して無線通信するための外部通信手段と、
クレジットカードを読み取るカード読み取り手段と、
前記連携登録手段に対して、前記連携状態の登録を要求する登録要求手段とを備え、
前記端末装置は、前記レジスタ装置から、クレジット決済取引開始の指示信号、及び、前記クレジット決済に係る前記顧客の情報を受信し、
前記レジスタ装置は、前記端末装置に対して前記顧客に対応させた前記売上データを送信し、
前記売り上げデータを受信した前記端末装置は、前記カード読み取り手段で読み取ったクレジットカードについて、前記クレジット決済センターに対して決済情報及び与信問合せ認証を送信し、前記与信問合せ認証に対して前記クレジット決済センターから受信した取引完了結果を前記レジスタ装置に送信し、
前記クレジット決済登録手段は、前記端末装置から受信した前記取引完了結果に応じて前記クレジット決済を登録する
ことを特徴とする商品販売データ処理システム。
【請求項２】
前記連携状態は、前記端末装置ごとに割り当てた登録番号と、前記端末装置との間の通信状態を含むことを特徴とする請求項１に記載の商品販売データ処理システム。
【請求項３】
前記端末装置と前記レジスタ装置のペアリングに必要な情報を、前記レジスタ装置からの出力媒体に表示し、
前記出力媒体に出力された、前記ペアリングに必要な情報を前記端末装置が読み取ることによって、前記端末装置と前記レジスタ装置のペアリングを行うことを特徴とする請求項１に記載の商品販売データ処理システム。
【請求項４】
前記出力媒体は、前記レジスタ装置の表示画面又は前記レジスタ装置から出力されるレシートであり、
前記ペアリングに必要な情報は、ＱＲコード（登録商標）、又は、バーコードとして表示される
ことを特徴とする請求項５に記載の商品販売データ処理システム。
【請求項５】
前記レジスタ装置は、前記端末装置との間の無線通信の状態を一定の間隔で連続的に確認する通信状態確認手段を備え、前記通信状態確認手段による最新の確認結果を表示画面に表示することを特徴とする請求項１から請求項４のいずれか１項に記載の商品販売データ処理システム。
【請求項６】
レジスタ装置との間で、無線通信によってデータを送受信するための通信手段と、
クレジット決済センターに対して無線通信するための外部通信手段と、
クレジットカードを読み取るカード読み取り手段と、
前記レジスタ装置に対して、前記レジスタ装置と前記端末装置の連携状態の登録を要求する登録要求手段とを備え、
前記レジスタ装置から、クレジット決済取引開始の指示信号を受信し、
前記レジスタ装置から前記売上データを受信すると、前記カード読み取り手段で読み取ったクレジットカードについて、前記クレジット決済センターに対して決済情報及び与信問合せ認証を送信し、前記与信問合せ認証に対して前記クレジット決済センターから受信した取引完了結果を前記レジスタ装置に送信することを特徴とする商品販売データ処理端末装置。
【請求項７】
無線通信によって互いに送受信可能な、レジスタ装置と端末装置を備えた商品販売データ処理システムを用いた商品販売データ処理方法であって、
前記レジスタ装置が、個別の前記端末装置からの要求にしたがって、前記レジスタ装置と前記端末装置の連携状態を随時更新する連携状態更新工程と、
前記端末装置が、前記レジスタ装置から、クレジット決済取引開始の指示信号を受信し、前記端末装置に対して顧客に対応させた前記売上データを送信するクレジット決済開始工程と、
前記売り上げデータを受信した前記端末装置が、前記クレジット決済に係るクレジットカードについて、クレジット決済センターに対して決済情報及び与信問合せ認証を送信し、前記与信問合せ認証に対して前記クレジット決済センターから取引完了結果を受信する認証工程と、
前記取引完了結果を前記レジスタ装置に送信し、前記レジスタ装置が前記取引完了結果に応じて前記クレジット決済を登録する決済登録工程と
を備えることを特徴とする商品販売データ処理方法。
【発明の詳細な説明】
【技術分野】
【０００１】
本発明は、商品販売店舗等において商品販売データを処理するための商品販売データ処理システム、商品販売データ処理端末装置、及び、商品販売データ処理方法に関する。
【背景技術】
【０００２】
特許文献１に記載の商品データ処理装置は、商品データを処理する商品データ処理部と、印刷部と、現金収納部と、伝票収納部と、商品データ処理部の商品データ処理に伴い印刷部から商品データが印字されたことを受け、伝票収納部を開放する開放手段とを備える。しかし、この商品データ処理装置では単体で処理を行うため、混雑した店舗や大型の店舗では顧客に不便を強いるおそれがある。
【０００３】
これに対して、特許文献２に記載の店舗決済システムは、ハンディターミナルと決済端末を用いたシステムであり、ハンディターミナルは、商品の販売データを決済端末で登録するか否かの判断に用いられるデータを商品コードとともに二次元シンボルに変換し、この二次元シンボルを可搬式の記録媒体に可視化表示させる手段を有する。また、決済手段は、可搬式の記録媒体に表示された二次元シンボルを読み取る読取手段を備える。このような構成によれば、複数のハンディターミナルと複数の決済端末を導入することにより、各顧客の商品データ処理を平行して行うことが可能となるため、顧客の満足度を高めることができる
【先行技術文献】
【特許文献】
【０００４】
【特許文献１】特開２０１２−４８４９５号公報
【特許文献２】特開２０１２−４３４７１号公報
【発明の概要】
【発明が解決しようとする課題】
【０００５】
しかしながら、特許文献２に記載の店舗決済システムでは、複数のハンディターミナルを導入するためには決済端末も複数用意することが必要になるため、初期導入時に多大なコストがかかる。また、二次元シンボルを生成し、記録媒体に表示させ、さらに、決済手段でこれを読み取るという処理の流れは、時間と手間を要するため、顧客の満足度を低下させるおそれがある。
【０００６】
そこで本発明は、複数の端末装置を用いることにより、顧客ごとの商品販売データ処理を同時並行的に行うことができ、かつ、レジスタ装置を１台とすることによって、初期導入時のコストを抑えることができる、商品販売データ処理システム、商品販売データ処理端末装置、及び、商品販売データ処理方法を提供することを目的とする。
【課題を解決するための手段】
【０００７】
上記課題を解決するために、本発明の商品販売データ処理システムは、レジスタ装置と１つ以上の端末装置を備えた商品販売データ処理システムであって、レジスタ装置は、端末装置との間で、無線通信によってデータを送受信するための第１ローカル通信手段と、個別の端末装置とレジスタ装置との連携状態を登録する連携登録手段と、クレジット決済登録手段と、端末装置が扱う顧客に対応させた売上げデータを記憶する記憶手段とを備え、端末装置は、レジスタ装置との間で、無線通信によってデータを送受信するための第２ローカル通信手段と、クレジット決済センターに対して無線通信するための外部通信手段と、クレジットカードを読み取るカード読み取り手段と、連携登録手段に対して、連携状態の登録を要求する登録要求手段とを備え、連携登録手段は、個別の端末装置の登録要求手段からの要求にしたがって、連携状態を随時更新し、端末装置は、レジスタ装置から、クレジット決済取引開始の指示信号、及び、レジスタ装置は、端末装置に対して顧客に対応させた売上データを送信し、売り上げデータを受信した端末装置は、カード読み取り手段で読み取ったクレジットカードについて、クレジット決済センターに対して決済情報及び与信問合せ認証を送信し、与信問合せ認証に対してクレジット決済センターから受信した取引完了結果をレジスタ装置に送信し、クレジット決済登録手段は、端末装置から受信した取引完了結果に応じてクレジット決済を登録することを特徴としている。
【０００８】
本発明の商品販売データ処理システムにおいて、連携状態は、端末装置ごとに割り当てた登録番号と、端末装置との間の通信状態を含むことが好ましい。
【０００９】
本発明の商品販売データ処理システムにおいて、端末装置とレジスタ装置のペアリングに必要な情報を、レジスタ装置からの出力媒体に表示し、出力媒体に出力された、ペアリングに必要な情報を端末装置が読み取ることによって、端末装置とレジスタ装置のペアリングを行うことが好ましい。
【００１０】
本発明の商品販売データ処理システムにおいて、出力媒体は、レジスタ装置の表示画面又はレジスタ装置から出力されるレシートであり、ペアリングに必要な情報は、ＱＲコード（登録商標）、又は、バーコードとして表示されることが好ましい。
【００１１】
本発明の商品販売データ処理システムにおいて、レジスタ装置は、端末装置との間の無線通信の状態を一定の間隔で連続的に確認する通信状態確認手段を備え、通信状態確認手段による最新の確認結果を表示画面に表示することが好ましい。
【００１２】
本発明の商品販売データ処理端末装置は、レジスタ装置との間で、無線通信によってデータを送受信するための通信手段と、クレジット決済センターに対して無線通信するための外部通信手段と、クレジットカードを読み取るカード読み取り手段と、レジスタ装置に対して、レジスタ装置と端末装置の連携状態の登録を要求する登録要求手段とを備え、レジスタ装置から、クレジット決済取引開始の指示信号、レジスタ装置から顧客に対応させた売上データを受信すると、カード読み取り手段で読み取ったクレジットカードについて、クレジット決済センターに対して決済情報及び与信問合せ認証を送信し、与信問合せ認証に対してクレジット決済センターから受信した取引完了結果をレジスタ装置に送信することを特徴としている。
【００１３】
本発明の商品販売データ処理方法は、無線通信によって互いに送受信可能な、レジスタ装置と端末装置を備えた商品販売データ処理システムを用いた商品販売データ処理方法であって、レジスタ装置が、個別の端末装置からの要求にしたがって、レジスタ装置と端末装置の連携状態を随時更新する連携状態更新工程と、端末装置が、レジスタ装置から、クレジット決済取引開始の指示信号、及び、クレジット決済に係る顧客の情報を受信し、端末装置に対して顧客に対応させた売上データを送信するクレジット決済開始工程と、売り上げデータを受信した端末装置が、クレジット決済に係るクレジットカードについて、クレジット決済センターに対して決済情報及び与信問合せ認証を送信し、与信問合せ認証に対してクレジット決済センターから取引完了結果を受信する認証工程と、取引完了結果をレジスタ装置に送信し、レジスタ装置が取引完了結果に応じてクレジット決済を登録する決済登録工程とを備えることを特徴としている。
【発明の効果】
【００１４】
本発明によると、顧客ごとの商品販売データ処理を同時並行的に行うことができ、かつ、初期導入時のコストを抑えることができる。
【図面の簡単な説明】
【００１５】
【図１】本発明の実施形態に係る商品販売データ処理システムの構成を示すブロック図である。
【図２】本発明の実施形態におけるＥＣＲ（レジスタ装置）の構成を示すブロック図である。
【図３】無線化アダプタの構成を示すブロック図である。
【図４】（ａ）はＥＣＲが持つモバイル信計テーブルを示す図、（ｂ）はＥＣＲが持つ信計テーブルを示す図である。
【図５】本発明の実施形態における端末装置の構成を示すブロック図である。
【図６】ＥＣＲと端末装置のペアリングに関する情報が印刷されたレシートの例を示す図である。
【図７】ＥＣＲ側における、クレジット決済開始から決済登録までの処理の流れを示すフローチャートである。
【図８】端末装置側における、クレジット決済開始から決済登録までの処理の流れを示すフローチャートである。
【図９】ＥＣＲと端末装置との間の無線通信の接続状態の取得の流れを示すフローチャートである。
【図１０】ＥＣＲ側における初期接続時の流れを示すフローチャートである。
【図１１】端末装置側における初期接続時の流れを示すフローチャートである。
【発明を実施するための形態】
【００１６】
以下、本発明の実施形態に係る商品販売データ処理システム、商品販売データ処理端末装置、及び、商品販売データ処理方法について図面を参照しつつ詳しく説明する。以下、レジスタ装置としてＥＣＲ（電子キャッシュレジスタ）を用いた場合について説明するが、本発明はこれに限定されず例えばＰＯＳシステム（販売時点管理システム）を用いた場合にも適用可能である。
【００１７】
図１は、本実施形態に係る商品販売データ処理システム１０の構成を示すブロック図である。図２は、本実施形態におけるＥＣＲ１００（レジスタ装置）の構成を示すブロック図である。図３は、無線化アダプタ１２２の構成を示すブロック図である。図４（ａ）は、ＥＣＲ１００が有するモバイル信計テーブルを示す図、（ｂ）は信計テーブルを示す図である。図５は、本実施形態における端末装置２００の構成を示すブロック図である。
図１に示すように、商品販売データ処理システム１０は、レジスタ装置としてのＥＣＲ１００と、商品販売データ処理端末装置としての端末装置２００を備える。端末装置２００としては、例えば、市販のスマートフォンやタブレット端末を用いることができる。ＥＣＲ１００と端末装置２００は、例えば、既存のＷｉ−Ｆｉその他の無線ＬＡＮやＢｌｕｅｔｏｏｔｈ（登録商標）により相互に無線通信可能である。また、端末装置２００は、無線ルータ２１又は携帯基地局２２を介してインターネットを経由して、クレジット決済センターとしての決済センター２３との間で通信可能である。無線ルータ２１を介する場合は、例えば、Ｗｉ−Ｆｉその他の無線ＬＡＮによって通信を行い、携帯基地局２２を介する場合は、例えば、３Ｇ（Ｗ−ＣＤＭＡ）によって通信を行う。図１では、端末装置２００が１台の例を示しているが、端末装置２００は２台以上であってもよい。
【００１８】
図２に示すように、ＥＣＲ１００は、ＣＰＵ１０１（中央処理装置）を有し、ＣＰＵ１０１には、記憶部１１０、通信Ｉ／Ｆ１２１、表示コントローラ１３１、１３３、プリンタコントローラ１３５、１３７、Ｉ／Ｏ１３９、外部メモリコントローラ１４１、キーボードコントローラ１４３、インターフェース１５１がそれぞれ接続されており、それぞれＣＰＵ１０１によって動作が制御される。
【００１９】
記憶部１１０は、例えば半導体メモリで構成され、モバイル信計テーブル、信計テーブル、取引金額、顧客の情報、クレジットカード情報、取引完了結果などを記憶する記憶手段を構成する。
【００２０】
ＣＰＵ１０１と記憶部１１０は、連携登録手段及びクレジット決済登録手段を構成する。連携登録手段としては、個別の端末装置２００とＥＣＲ１００との連携状態を登録し、クレジット決済登録手段としては、端末装置２００から決済センター２３に対して送信した、決済情報及び与信問合せ認証に対する取引完了結果に応じてクレジット決済を登録する。ここで、連携状態は、端末装置２００ごとに割り当てた登録番号（アドレス）と、その端末装置２００とＥＣＲ１００との間の通信状態と、を含む。
【００２１】
通信Ｉ／Ｆ１２１は、外部の無線化アダプタ１２２をＥＣＲ１００に接続するためのインターフェースである。無線化アダプタ１２２は、図３に示すように、通信チップ１２３と通信Ｉ／Ｆ１２４からなる。通信チップ１２３は、例えば、Ｗｉ−ＦｉやＢｌｕｅｔｏｏｔｈ（登録商標）によって端末装置２００との間で通信可能とする回路であり、通信Ｉ／Ｆ１２４は、ＥＣＲ１００の通信Ｉ／Ｆ１２１と接続するためのインターフェースである。通信Ｉ／Ｆ１２１と無線化アダプタ１２２は、端末装置２００との間で、無線通信によってデータを送受信するための第１ローカル通信手段を構成する。
【００２２】
表示コントローラ１３１は、ＥＣＲ１００の操作者のためのオペレータ用ディスプレイ１３２の表示を制御する回路であり、表示コントローラ１３３は、顧客に見せるための客面用ディスプレイ１３４の表示を制御する回路である。
【００２３】
プリンタコントローラ１３５、１３７は、レシートプリンタ１３６とジャーナルプリンタ１３８のそれぞれに対して印刷のための信号を生成・出力する回路である。
Ｉ／Ｏ１３９は、ドロア１４０を開放させるための回路である。
外部メモリコントローラ１４１は、メモリーカードメディア１４２（例えばフラッシュメモリ）に対するデータの読み書きを制御する回路である。
キーボードコントローラ１４３は、キーボード１４４からの入力信号を処理する制御回路である。
【００２４】
インターフェース１５１は、カード読取手段としてのカード読み取りデバイス１５２をＣＰＵ１０１に接続するための接続部分である。カード読み取りデバイス１５２は、顧客のクレジットカードを読み取って、その情報を出力するデバイスであり、既存のクレジットカードの読み取りデバイスを用いることができる。また、インターフェース１５１としては、例えばＵＳＢ（Ｕｎｉｖｅｒｓａｌ  Ｓｅｒｉａｌ  Ｂｕｓ）端子を用いる。
【００２５】
ＥＣＲ１００は、図４（ａ）に示すモバイル信計テーブルと、図４（ｂ）に示す信計テーブルと、を記憶部１１０に記憶している。モバイル信計ＩＤは、信計ＩＤのうち、モバイル信計での識別番号である。接続先アドレスは、端末装置２００ごとに持つ重複しない識別番号である。接続先アプリＩＤは、端末装置２００内のモバイル信計アプリが持つ識別番号である。信計ＩＤは、信計毎の識別番号である。信計種別ＩＤは、締めキーが通常の信計か、モバイル信計かの種類を示すデータである。
【００２６】
図５に示すように、端末装置２００は、ＣＰＵ２０１（中央処理装置）を有し、ＣＰＵ２０１には、記憶部２１０、通信Ｉ／Ｆ２２１、２３１、インターフェース２４１、表示コントローラ２５１、及び、画像処理部２５３がそれぞれ接続されており、それぞれＣＰＵ２０１によって動作が制御される。なお、図５には示さないが、端末装置２００として市販の携帯情報端末を用いる場合は、商品販売データ処理以外の機能であって携帯情報端末として必要な機能、例えば通話や通信に係わる構成部材も備えている。
【００２７】
ＣＰＵ２０１は、連携登録手段としての、ＥＣＲ１００のＣＰＵ１０１に対して、連携状態の登録を要求する登録要求手段である。ＣＰＵ１０１は、個別の端末装置２００のＣＰＵ２０１からの要求にしたがって、連携状態を随時更新する。
また、ＣＰＵ１０１は、端末装置２００との間の無線通信の状態を一定の間隔で連続的に確認する通信状態確認手段であり、その最新の確認結果はオペレータ用ディスプレイ１３２に表示され、記憶部１１０に記憶される。
【００２８】
記憶部２１０は、モバイル信計アプリ（モバイル信計を実行するためのアプリケーションソフトウエア）等を記憶する素子であって、記憶手段を構成する。
【００２９】
通信Ｉ／Ｆ２２１は、外部の無線化アダプタ２２２を端末装置２００に接続するためのインターフェースである。無線化アダプタ２２２は、図３に示す無線化アダプタ１２２と同様の構成を有しているため、その詳細な説明は省略する。通信Ｉ／Ｆ２２１と無線化アダプタ２２２は、ＥＣＲ１００との間で、無線通信によってデータを送受信するための第２ローカル通信手段を構成する。また、通信Ｉ／Ｆ２２１、無線化アダプタ２２２、及び、ＣＰＵ２０１は、ＥＣＲ１００との間の無線通信の状態を一定の間隔で連続的に確認する通信状態確認手段を構成する。ここで、端末装置２００が、無線化アダプタ２２２の機能を内部に有している場合は、外付けの無線化アダプタ２２２を省略することができる。
【００３０】
通信Ｉ／Ｆ２３１は、ＣＰＵ２０１と外部通信チップ２３２とを接続するためのインターフェースである。外部通信手段としての外部通信チップ２３２は、図１に示す無線ルータ２１や携帯基地局２２によって、外部にある決済センター２３に対して無線通信する回路である。
【００３１】
インターフェース２４１は、カード読取手段としてのカード読み取りデバイス２４２をＣＰＵ２０１に接続するための接続部分である。カード読み取りデバイス２４２は、顧客のクレジットカードを読み取って、その情報を出力するデバイスであり、携帯情報端末用の既存のクレジットカードの読み取りデバイスを用いることができる。また、インターフェース２４１としては例えばＵＳＢ（Ｕｎｉｖｅｒｓａｌ  Ｓｅｒｉａｌ  Ｂｕｓ）端子を用いる。
【００３２】
表示コントローラ２５１は、ディスプレイ２５２の表示を制御する回路である。
画像処理部２５３は、画像読取部２５４から出力される情報からディスプレイ２５２に対応した画像データを生成し、また、操作者に要求に応じて画像データを編集可能とする回路である。画像読取部２５４は、例えばカメラである。
【００３３】
上述の各部材は、端末装置２００が携帯情報端末として備えている構成部材を用いて構成することができる。すなわち、記憶部２１０はメモリ等であり、通信Ｉ／Ｆ２２１は携帯情報端末同士で通信するためのインターフェース、ディスプレイ２５２と表示コントローラ２５１は表示画面とその制御回路、画像読取部２５４と画像処理部２５３はカメラとその処理回路、外部通信チップ２３２と通信Ｉ／Ｆ２３１はインターネット通信回路に対応する。
このような構成の商品販売データ処理システムにおいては、ＥＣＲ１００と端末装置２００に商品販売データ処理のためのアプリケーションソフトウエアを導入することにより、端末装置２００として市販の携帯情報端末を用いて商品販売データ処理を行うことが可能となる。
【００３４】
図６は、ＥＣＲ１００と端末装置２００のペアリングに関する情報が印刷されたレシート（出力媒体）の例を示す図である。このレシートは、ＥＣＲ１００のレシートプリンタ１３６から出力されるものであり、ペアリングに関する情報として、接続先としての個別の端末装置２００に対応するＰＩＮコードＲ１と、このＰＩＮコードＲ１に対応するバーコードＲ２が印刷・表示されている。モバイル信計アプリを起動した状態で、バーコードＲ２を端末装置２００の画像読取部２５４によって読み取り、又は、ＰＩＮコードＲ１を端末装置２００に入力し、これらのペアリングに関する情報を端末装置２００からＥＣＲ１００へ送信してＥＣＲ１００側で認証することによって、ＥＣＲ１００と端末装置２００のペアリングを行う（図１０、図１１）。ペアリングとしては、こうしたバーコードの読み取りに限定されることなく、例えば予め相互認証を行うための識別子を記憶したフラッシュメモリをＥＣＲ１００と各端末装置２００のそれぞれに保存させたり、ＥＣＲ１００から各端末装置２００に対し、逐時ペアリング認証のためのＰＩＮコードを無線により送信して発行し、保存させるようにしてもよい。
ここで、ＥＣＲ１００と端末装置２００のペアリングに関する情報は、レシート以外の出力媒体、例えば、ＥＣＲ１００のオペレータ用ディスプレイ１３２や客面用ディスプレイ１３４に表示してもよい。また、バーコードに代えてＱＲコード（登録商標）を用いても良い。オペレータ用ディスプレイ１３２や客面用ディスプレイ１３４に表示された情報は、レシートの場合と同様に、端末装置２００の画像読取部２５４によって読み取り、端末装置２００からＥＣＲ１００へ送信してＥＣＲ１００側で認証を受ける。
【００３５】
本実施形態の商品販売データ処理システムにおいて、ＥＣＲ１００は、端末装置２００に対して顧客に対応させた売上データを送信し、端末装置２００は、ＥＣＲ１００から、クレジット決済取引開始の指示信号、及び、クレジット決済に係る顧客の情報を受信する。売り上げデータを受信した端末装置２００は、カード読み取りデバイス２４２で読み取ったクレジットカードについて、決済センター２３に対して決済情報及び与信問合せ認証を送信し、与信問合せ認証に対して決済センター２３から受信した取引完了結果をＥＣＲ１００に送信する。クレジット決済登録手段としてのＣＰＵ１０１は、端末装置２００から受信した取引完了結果に応じてクレジット決済を登録する。
【００３６】
次に、図７〜図１１を参照して、本実施形態の商品販売データ処理方法について、より具体的に説明する。
まず、図７と図８を参照して、クレジット決済開始から決済登録までの流れについて説明する。図７は、ＥＣＲ１００側における、クレジット決済開始から決済登録までの処理の流れを示すフローチャートである。図８は、端末装置２００側における、クレジット決済開始から決済登録までの処理の流れを示すフローチャートである。以下の説明において、ステップＳ１１〜Ｓ２２はＥＣＲ１００側の処理（図７）、ステップＳ３１〜Ｓ３８は端末装置２００側の処理（図８）である。
【００３７】
初めに、操作者はキーボード１４４を操作して取引金額と締めキーの種類を入力する（図７のステップＳ１１）。ＣＰＵ１０１は、締めキーの種類つまり信計ＩＤに対応する信計種別ＩＤ（図４（ｂ））がモバイル信計、すなわち端末装置２００を用いたクレジット決済処理であると判断したとき（ステップＳ１２）、信計ＩＤを保存する（ステップＳ１３）。
【００３８】
一方、締めキーの種類がモバイル信計以外であると判断したとき（ステップＳ１２）は、対応する処理を実行する（ステップＳ１４）。この処理は、例えば、ＥＣＲ１００単体による信計処理であって、この場合は以下の手順で実行する。
（１）顧客からのクレジットカード決済の指示
（２）取引金額などを客面用ディスプレイ１３４へ表示して、顧客の了承を得る
（３）顧客のクレジットカードをカード読み取りデバイス１５２によって読み取る
（４）決済センター２３に対して、ＥＣＲ１００が備える不図示の通信手段により、取引金額・クレジットカード情報等の決済情報、及び、与信問合せ認証を送信する。
（５）決済センター２３から取引完了結果を受信する。
（６）レシートプリンタ１３６により取引金額・クレジットカード情報等を表示したレシートを印刷する。
【００３９】
保存した信計ＩＤを元に、モバイル信計テーブル（図４（ａ））から、接続先アドレス、及び、接続先アプリＩＤを取得し（ステップＳ１５）、これらに基づいて、通信Ｉ／Ｆ１２１・無線化アダプタ１２２を介して、特定の端末装置２００上のモバイル信計アプリへの接続を開始する（ステップＳ１６）。
【００４０】
一方、端末装置２００においては、まず、初期設定処理を実行する（図８のステップＳ３１）。初期設定では、端末装置２００の操作者が記憶部２１０に保存されたモバイル信計アプリを起動させるとともに、ＥＣＲ１００との通信を開始する。また、カード読み取りデバイス２４２をインターフェース２４１に接続して起動させる。端末装置２００は、初期設定処理（ステップＳ３１）及びその後の処理において、ＥＣＲ１００との間の連携状態を随時更新するようにＥＣＲ１００に対して要求する。
【００４１】
次に、ＣＰＵ２０１は、ＥＣＲ１００からの接続要求（図７のステップＳ１６、プッシュ通知）があったとき（図８のステップＳ３２でＹ）、ＥＣＲ１００との接続を許可する信号をＥＣＲ１００へ返信するとともに、取引開始を待機する状態に移行する（ステップＳ３３）。ＥＣＲ１００では、端末装置２００からの許可信号に対応して接続が完了したと判断する（ステップＳ１７でＹ）。
一方、ＥＣＲ１００は、端末装置２００からの許可信号を受信するまでは、接続が完了していないものとして、端末装置２００からの信号の受信を待ち続ける（ステップＳ１７でＮ）。また、端末装置２００は、ＥＣＲ１００からの接続要求があるまで（ステップＳ３２でＮ）、ＥＣＲ１００との通信を維持して接続要求を待機する。
【００４２】
ＥＣＲ１００は、端末装置２００との接続が完了すると（ステップＳ１７でＹ）、端末装置２００のモバイル信計アプリに対して、クレジット決済取引開始の指示信号、及び、取引金額のデータ（売上げデータ）を送信する（ステップＳ１８、クレジット決済開始工程）。ＣＰＵ２０１は、ＥＣＲ１００から取引金額のデータを受信すると、取引処理を開始する（ステップＳ３３でＹ）。つづいて、ＣＰＵ２０１は、ディスプレイ２５２上のモバイル信計アプリ画面に取引金額などの取引処理に必要なデータを表示し（ステップＳ３４）、取引金額の受信完了通知をＥＣＲ１００に送信する（ステップＳ３５）。
【００４３】
ＥＣＲ１００は、取引金額などのデータの送信（ステップＳ１８）の後は、端末装置２００からの取引金額の受信完了通知を待機する状態となり（ステップＳ１９）、端末装置２００から取引金額の受信完了通知を受信すると（ステップＳ１９でＹ）、端末装置２００からの決済完了通知を待機する状態となる（ステップＳ２０）。
【００４４】
端末装置２００は、取引金額の受信完了通知をＥＣＲ１００に送信（ステップＳ３５）した後に、モバイル決済処理を実行する（ステップＳ３６）。モバイル決済処理は、例えば、以下の手順で行う。
（１）取引金額などの取引処理に必要なデータが表示（ステップＳ３４）された端末装置２００のディスプレイ２５２を顧客に提示し、クレジット決済の了承を得る。
（２）カード読み取りデバイス２４２を用いて顧客のクレジットカードを読み取る。
（３）決済の承認署名が必要があればモバイル信計アプリによってディスプレイ２５２に表示された署名欄に、手書き入力等によって、顧客のサインを入力してもらう。
（４）決済センター２３に対して、取引金額・クレジットカード情報等の決済情報、及び、与信問合せ認証を送信する。
（５）決済センター２３から取引完了結果を受信する。
ここで、上記（４）・（５）は認証工程である。
【００４５】
決済センター２３から取引完了結果を受信すると、ＣＰＵ２０１は、決済完了通知として上記取引完了結果をＥＣＲ１００へ送信する（ステップＳ３７）。決済完了通知を受信すると（ステップＳ２０でＹ）、ＣＰＵ１０１は、取引金額、クレジットカード情報、取引完了結果などを互いに関連づけて記憶部１１０に保存し、これによってクレジット決済を登録する（決済登録工程）。この決済登録工程が完了すると、ＣＰＵ１０１は、端末装置２００に対して決済完了通知を受信完了したことを示す信号を送信（ステップＳ２１）し、レシートプリンタ１３６により決済に係る情報をレシートに印字する（ステップＳ２２）。なお、一定時間（３時間ごと、１日ごと等）の取引完了結果にともなう情報（顧客動向情報、売上情報、決済種別情報など取引に係る一連の情報）をその都度記憶部１１０に記憶させ、保存するように設定してもよい。
【００４６】
ＣＰＵ２０１は、決済完了通知の送信（ステップＳ３７）後は、ＥＣＲ１００からの決済完了通知の受信完了信号を待機し（ステップＳ３８）、受信完了通知があったとき（ステップＳ３８でＹ）は、処理を終了する。
【００４７】
つづいて、図９を参照して、ＥＣＲ１００と端末装置２００との間の無線通信状態の取得について説明する。無線状態の取得は、一定間隔で随時実行される。ここで、図９は、ＥＣＲ１００と端末装置２００との間の無線通信の接続状態の取得の流れを示すフローチャートである。
【００４８】
まず、ＣＰＵ１０１は、通信チップ１２３に対して、周辺デバイスとしての端末装置２００のそれぞれに対する無線状態の問い合わせを実行するようにコマンド信号を送出する（ステップＳ４１）。ＣＰＵ１０１は、周辺デバイスに対応する接続先アドレス（登録番号）がモバイル信計テーブル（図４（ａ））にあるか否かを判断する（ステップＳ４２）。この工程は、周辺デバイスに対応する接続先アドレスが見つかるまで継続され、周辺デバイスに対応する接続先アドレスが見つかった場合（ステップＳ４２でＹ）は、合致した接続先アドレスに対するリンク強度を取得するように、通信チップ１２３からコマンドを送信させる（ステップＳ４３）。この工程は、すべての接続先アドレスについて順に実行され（ステップＳ４４）、すべての接続先アドレスについて実施が完了すると（ステップＳ４４でＹ）、ＣＰＵ１０１は各端末装置２００についてのリンク強度（アンテナレベル、連携状態）をオペレータ用ディスプレイ１３２に表示させる（ステップＳ４５）。
以上のＳ４１〜Ｓ４５の工程は、起動時、端末装置２００からの要求があったときなどや、一定間隔で実行され、ＥＣＲ１００と各端末装置２００との連携状態が随時更新される（連携状態更新工程）。
【００４９】
次に、図１０と図１１を参照して、ＥＣＲ１００と端末装置２００の初期接続時の処理の流れについて説明する。この処理は、図７・図８に示すクレジット決済処理の前に実行して、ＥＣＲ１００と端末装置２００とをペアリングする。図１０は、ＥＣＲ１００側における、初期接続時の流れを示すフローチャートである。図１１は、端末装置２００側における、初期接続時の流れを示すフローチャートである。以下の説明において、ステップＳ５１〜Ｓ５５はＥＣＲ１００側の処理（図１０）、ステップＳ６１〜Ｓ６４は端末装置２００側の処理（図１１）である。
【００５０】
まず、端末装置２００において、モバイル信計アプリを起動してペアリング待ち受け状態とし（ステップＳ６１）、ＥＣＲ１００からの接続要求（ステップＳ５１）を待機する（ステップＳ６２）。
次に、ＣＰＵ１０１は、通信チップ１２３に対して、周辺デバイスとしての端末装置２００のそれぞれに対する無線状態の問い合わせを実行するように、接続要求としてのコマンド信号を送出する（ステップＳ５１）。つづいて、ＣＰＵ１０１は、端末装置２００のそれぞれについてＰＩＮコード（認証コード）を作成して記憶部１１０に保存（ステップＳ５２）するとともに、バーコード化してレシートプリンタ１３６によりレシート上に印刷する（ステップＳ５３）。
【００５１】
一方、端末装置２００は、ＥＣＲ１００からの接続要求（ステップＳ５１）を受信すると（ステップＳ６２でＹ）、受信したことを示す信号をＥＣＲ１００に送信する。これに対して、ＣＰＵ１０１は、問い合わせ（ステップＳ５１）で発見した携帯装置２００（スマートフォン）のアドレスに接続するように、通信チップ１２３に対してコマンド信号を送信する（ステップＳ５４）。このコマンド信号を受信した端末装置２００では、モバイル信計アプリにおいて、レシートに印刷されたＰＩＮコードのバーコード（ステップＳ５３）をカード読み取りデバイス２４２によって読み取る（ステップＳ６３）。この読み取り情報にしたがって、ＣＰＵ２０１は、ＥＣＲ１００に対して通信を行い、ＥＣＲ１００と端末装置２００との間でペアリングを行い、リンクキーを作成する（ステップＳ５５、Ｓ６４）。
【００５２】
本実施形態によれば、次の効果を奏する。
（１）スマートフォンやタブレット端末などの既存の携帯情報端末を端末装置２００として利用することができ、さらに、ＥＣＲ１００と端末装置２００との間の通信をＢｌｕｅｔｏｏｔｈ（登録商標）やＷｉ−Ｆｉなどの既存の無線通信方式で行うことができるため、初期導入コストを抑えることができる。
（２）ＥＣＲ１００に対して複数台の端末装置２００を連携することができるため、端末装置２００を持つ各店員が店舗内を移動して決済が可能となることから、信計処理を迅速に行うことができる。
（３）１台のＥＣＲ１００と複数台の端末装置２００の連携状態を容易に確認できるため、従来のような高価な決済端末を複数台用意する必要がないことから、初期導入コストを抑えることができる。また、ＥＣＲ１００を１台にすることにより、取り引きの一元化が可能となる。
（４）店舗の各店員が端末装置２００を１台ずつ使用することにより、各信計処理の実行者が明らかになるため、処理の責任を明確化でき不正を防止できる。
（５）ＥＣＲ１００のオペレータ用ディスプレイ１３２に各端末装置２００に対する通信状態が表示されるので、良好な状況を選択し決済を行う事ができる
（６）レシートに表示されたバーコードを利用することにより、ＥＣＲ１００と端末装置２００のペアリングを容易に行うことができる。
（７）端末装置２００で決済結果の印字が出来なくても、ＥＣＲ１００から印字する事ができる。
【００５３】
本発明について上記実施形態を参照しつつ説明したが、本発明は上記実施形態に限定されるものではなく、改良の目的または本発明の思想の範囲内において改良または変更が可能である。
【産業上の利用可能性】
【００５４】
以上のように、本発明に係る商品販売データ処理システムは、特に、大型のレストランやスーパー等におけるクレジット決済に有用である。
【符号の説明】
【００５５】
１０      商品販売データ処理システム
２３      決済センター（クレジット決済センター）
１００    ＥＣＲ（レジスタ装置）
１０１    ＣＰＵ（連携登録手段、クレジット決済登録手段、通信状態確認手段）
１１０    記憶部（連携登録手段、クレジット決済登録手段）
１２１    通信Ｉ／Ｆ（第１ローカル通信手段、通信状態確認手段）
１２２    無線化アダプタ（第１ローカル通信手段）
１２３    通信チップ
１３２    オペレータ用ディスプレイ
１３４    客面用ディスプレイ
１３６    レシートプリンタ
１５２    カード読み取りデバイス
２００    端末装置（商品販売データ処理端末装置）
２０１    ＣＰＵ（登録要求手段）
２１０    記憶部（連携登録手段、クレジット決済登録手段）
２２１    通信Ｉ／Ｆ（第２ローカル通信手段）
２２２    無線化アダプタ（第２ローカル通信手段）
２４２    カード読み取りデバイス
２５２    ディスプレイ
２５４    画像読取部
【図１】
2015207096.tif 000003
【図２】
2015207096.tif 000004
【図３】
2015207096.tif 000005
【図４】
2015207096.tif 000006
【図５】
2015207096.tif 000007
【図６】
2015207096.tif 000008
【図７】
2015207096.tif 000009
【図８】
2015207096.tif 000010
【図９】
2015207096.tif 000011
【図１０】
2015207096.tif 000012
【図１１】
2015207096.tif 000013
【手続補正書】
【提出日】平成26年4月24日(2014.4.24)
【手続補正１】
【補正対象書類名】図面
【補正対象項目名】図９
【補正方法】変更
【補正の内容】
【図９】
2015207096.tif 000014
【手続補正２】
【補正対象書類名】図面
【補正対象項目名】図１０
【補正方法】変更
【補正の内容】
【図１０】
2015207096.tif 000015